【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
有底筒状の容器本体（１）に摺動可能に嵌挿されると共に棒状化粧料、化粧用刷毛（１００）等の化粧品を装着する摺動部材（５）を摺動釦（３）で昇降させるリンク機構（７）を有する化粧品繰上容器において、
前記リンク機構（７）が、
前記容器本体（１）の底部（１３）の側面に設けられ軸線方向に略直交すると共に軸線に対し左右対称位置に形成される第一本体側ガイド溝（１５ａ）及び第二本体側ガイド溝（１５ｂ）と、前記摺動部材（５）の側面に設けられ軸線方向に略直交すると共に軸線に対し左右対称位置に形成される第一摺動側ガイド溝（５１ａ）及び第二摺動側ガイド溝（５１ｂ）とを有し、
一端に前記第一本体側ガイド溝（１５ａ）に係合する第一本体側係合部（７１ａ）を設け、他端に前記第二摺動側ガイド溝（５１ｂ）に係合する第一摺動側係合部（７３ａ）を設けた第一リンク部材（７５ａ）と、
前記第一リンク部材（７５ａ）と交差して配置し、一端に前記第二本体側ガイド溝（１５ｂ）に係合する第二本体側係合部（７１ｂ）を設け、他端に前記第一摺動側ガイド溝（５１ａ）に係合する第二摺動側係合部（７３ｂ）を設けた第二リンク部材（７５ｂ）と、
前記第一リンク部材（７５ａ）と第二リンク部材（７５ｂ）の交差部分を枢支し、前記摺動釦（３）を取付けた枢軸（７７）と、
より構成されたことを特徴とする化粧品繰上容器。
【請求項２】
前記有底筒状の容器本体（１）が扁平であることを特徴とする請求項１記載の化粧品繰上容器。
【請求項３】
前記摺動釦（３）の中心と枢軸（７７）の中心との間を所定間隔離間する釦取り付け部材（７９）を設け、摺動釦（３）が容器本体（１）の所望位置に配置されるようにしたことを特徴とする請求項１記載の化粧品繰上容器。
【請求項４】
前記本体側ガイド溝（１５ａ，１５ｂ）が互いに枢軸（７７）方向を頂点とするハ字状に、前記摺動側ガイド溝（５１ａ，５１ｂ）が互いに枢軸（７７）方向を頂点とする逆ハ字状に少なくとも一方が形成されることを特徴とする請求項１記載の化粧品繰上容器。
【手続補正２】
【補正対象書類名】明細書
【補正対象項目名】全文
【補正方法】変更
【補正の内容】
【発明の詳細な説明】
【発明の名称】化粧品繰上容器
【技術分野】
【０００１】
本発明は、棒状化粧料、化粧用刷毛等を摺動釦で繰り上げるリンク機構を有する化粧品繰上容器に関する。
【背景技術】
【０００２】
従来、有底筒状の容器本体にリンク機構を設け、少ない操作移動距離で容器本体に嵌挿される摺動部材を大きく伸縮する簡素な化粧品繰上容器が知られている。
【先行技術文献】
【特許文献】
【０００３】
【特許文献１】実開昭６２−１１７９１２号公報（第４ページ、図１５）
【特許文献２】実開昭４８−６８０５０号公報（第２ページ、図２）
【特許文献３】特表２００３−５０６２７４号公報（第１４ページ、図２）
【発明の概要】
【発明が解決しようとする課題】
【０００４】
特許文献１は上下方向に伸縮するリンク機構の枢支ピンを容器本体の側壁面に設けられた摺動釦で押圧することで口紅、化粧ブラシを装着する支持部材を昇降するものである。
特許文献１に示されるリンク機構は多段にすることで小さな摺動釦の押圧ストロークで大きな支持部材の昇降ストロークを得ようとするものである。さらに摺動釦とリンク機構との間のガタ付きをなくするため、リンク機構の枢支ピンが容器本体の側壁内面に近接するようスプリングで弾撥付勢している。こうした機構は部品点数の増加と組立て工数の増加を伴う。
【０００５】
また特許文献２は上下方向に伸縮するリンク機構の枢支部に設けられたナットを容器本体の側壁面に設けられたつまみと共に回動するネジ軸で螺合するものである。特許文献２に示されるリンク機構は容器本体の側壁面に設けられたつまみを回動することで口紅、化粧ブラシを装着する支持部材を昇降するものである。また支持部材の昇降に伴い枢支部の上下位置が変化するため、ネジ軸が貫通する容器本体の側壁面に長孔を設けている。つまみに回動と上下動を同時に行わせることは操作の安定感を損ねる。また、リンク機構は一対のナットをネジ軸で螺合することから組立て工数が大きくなる。
【０００６】
特許文献３は上下方向に伸縮するリンク機構を、中央を互いに回動可能に枢支した一対の作動指状部材と、基部に形成された螺旋溝とで構成し、本体の回動と共にリンク機構を軸線中心に回動させるものである。特許文献３に示されるリンク機構は本体と基部との間を相対回動することで口紅、化粧ブラシを装着する支持部材を昇降するものである。本体と基部との間を相対回動することは片手操作を困難にする。また基部に形成される螺旋溝や本体に形成され一対の作動指状部材を一体に回転するフランジ等形状の複雑な部品を用いることから金型代が高価になる。さらにリンク機構には回動と同時に伸縮運動が重なることから螺旋溝やフランジ等との噛み合いを防止するため係合をラフにする必要が生じ、これが操作時のガタ付きの原因ともなる。
【０００７】
以上のように従来のリンク機構を用いた化粧品繰上容器は組立て工数の増大、金型代の上昇、操作に高級感がない等の問題を伴うことで簡素な構造の長所を充分に生かすことができないでいた。
【０００８】
本発明化粧品繰上容器は棒状化粧料、化粧用刷毛等を繰り上げ繰り下げするリンク機構を少ない部品点数で組み立てやすくすることを目的とする。
【０００９】
さらに、棒状化粧料、化粧用刷毛等の繰り上げ繰り下げ操作を摺動釦の小さな操作ストロークで可能にし、片手で安定に操作できるようにすることを目的とする。
【課題を解決するための手段】
【００１０】
本発明化粧品繰上容器は、上記目的を達成するため有底筒状の容器本体１に摺動可能に嵌挿されると共に棒状化粧料、化粧用刷毛１００等の化粧品を装着する摺動部材５を、摺動釦３の上下摺動で昇降させるリンク機構７を有するものである。
【００１１】
即ち、前記リンク機構７が、容器本体１の底部１３の側面に設けられ軸線方向に略直交すると共に軸線に対し左右対称位置に形成される第一本体側ガイド溝１５ａ及び第二本体側ガイド溝１５ｂと、摺動部材５の側面に設けられ軸線方向に略直交すると共に軸線に対し左右対称位置に形成される第一摺動側ガイド溝５１ａ及び第二摺動側ガイド溝５１ｂとを有し、一端に前記第一本体側ガイド溝１５ａに係合する第一本体側係合部７１ａを設け、他端に前記第二摺動側ガイド溝５１ｂに係合する第一摺動側係合部７３ａを設けた第一リンク部材７５ａと、前記第一リンク部材７５ａと交差して配置し、一端に前記第二本体側ガイド溝１５ｂに係合する第二本体側係合部７１ｂを設け、他端に前記第一摺動側ガイド溝５１ａに係合する第二摺動側係合部７３ｂを設けた第二リンク部材７５ｂと、前記第一リンク部材７５ａと第二リンク部材７５ｂの交差部分を枢支し、前記摺動釦３を取付けた枢軸７７とより構成されるものである。
【００１２】
さらに、有底筒状の容器本体１が扁平であることも良い。
【００１３】
また、摺動釦３の中心と枢軸７７の中心との間を所定間隔離間する釦取り付け部材７９を設け、摺動釦３が容器本体１の所望位置に配置されるようにするものである。
【００１４】
また、前記本体側ガイド溝１５ａ，１５ｂが互いに枢軸７７方向を頂点とするハ字状に、前記摺動側ガイド溝５１ａ，５１ｂが互いに枢軸７７方向を頂点とする逆ハ字状に少なくとも一方が形成し配置されるものである。
【発明の効果】
【００１５】
本発明化粧品繰上容器にあっては次に記載する効果を奏する。即ち、容器本体１の底部に設けられたリンク機構７は、容器本体１の前面から摺動操作する摺動釦３の上下摺動操作ストロークに増幅して伸縮され棒状化粧料、化粧用刷毛１００等を装着する摺動部材５を昇降する。そのため摺動釦３を前面に配する容器本体１を短型にすることができる。
【００１６】
また、リンク機構７は一対のリンク部材７５ａ，７５ｂの中央を枢軸７７で回動可能に枢支し、リンク部材７５ａ，７５ｂの両端を底部１３の側面に設けられた本体側ガイド溝１５ａ，１５ｂおよび摺動部材５の側面に設けられた摺動側ガイド溝５１ａ，５１ｂに係合される。そのため棒状化粧料、化粧用刷毛１００等を装着する摺動部材５を昇降するための部品は簡素で最小限に抑えられる。
【００１７】
さらに、底部１３の側面に設けられた本体側ガイド溝１５ａ，１５ｂおよび摺動部材５の側面に設けられた摺動側ガイド溝５１ａ，５１ｂに一対のリンク部材７５ａ，７５ｂの係合部（本体側係合部７１ａ，７１ｂ及び摺動側係合部７３ａ，７３ｂ）を係合し順次容器本体１に装着するのみで容器本体１に挿入でき組立てを容易にする。
【００１８】
また、摺動釦３の容器本体１前面での摺動方向は容器本体１内で昇降する摺動部材５の昇降方向と一致し摺動釦３と摺動部材３との動作一体感が得られ操作方向による違和感がなくなる。また釦取り付け部７９により摺動釦３を容器本体１の側面の中央近傍に上下摺動可能に配することで棒状化粧料、化粧用刷毛１００等を片手操作でスムーズに昇降できるなどの効果を有する。
【図面の簡単な説明】
【００１９】
【図１】本発明にかかる化粧品繰上容器の実施例外観図である。
【図２】容器本体内部の摺動機構の説明図である。
【図３】リンク機構による摺動部材の摺動説明図である。
【発明を実施するための形態】
【００２０】
以下図面に基づき本発明を説明する。
図１は本発明にかかる化粧品繰上容器の実施例外観図で図１（Ａ）は化粧品となる化粧用刷毛１００を容器本体１内に収納した状態の正面図、図１（Ｂ）は化粧用刷毛１００を繰り出した状態の正面図を示す。図において容器本体１は底部１３と筒体１４とより構成された扁平な外筐を形成する。また、容器本体１は化粧用刷毛１００を昇降可能に内挿している。筒体１４の側面（正面側１１）の中央近傍には縦長のガイド孔１２が開口され摺動釦３の上下摺動をガイドする。摺動釦３は手指により上下摺動されるもので摺動釦３の矢印Ａ方向移動を介し化粧用刷毛１００が上昇される。
【００２１】
図２は図１（Ｂ）に示された筒体１４の正面側１１を透視した摺動機構の説明図である。容器本体１と同様に扁平な有底筒状の摺動部材５は化粧用刷毛１００の基端側を装着する。化粧用刷毛１００の摺動部材５への装着は摺動部材５を容器本体１内に挿入した後で良いことから図２では化粧用刷毛１００が装着されていない状態として仮想線で記載している。摺動部材５は有底筒状の容器本体１内面にガタ付きのないようガイドされると共に昇降自在に挿入され、図１（Ｂ）に示されるように化粧用刷毛１００を容器本体１の上方開口部１７から出没可能にする。
【００２２】
第一リンク部材７５ａ及び第二リンク部材７５ｂは中央部分を枢軸７７を中心に互いにクロスされるように枢支され、折りたたまれるように回動されリンク機構７を構成する。
【００２３】
第一リンク部材７５ａ及び第二リンク部材７５ｂの回動軸となる枢軸７７の軸長方向に直交する摺動部材５の側面下部には一対からなる摺動側ガイド溝５１ａ，５１ｂが軸線Ｌに対し直交すると共に左右対称位置に形成されている。底部１３は筒体１４の下端に装着固定され、容器本体１と一体になっている。枢軸７７の軸長方向に直交するよう配される底部１３の側面には一対の本体側ガイド溝１５ａ，１５ｂが軸線Ｌを対称軸としハ字状になるよう形成されている。
【００２４】
第一リンク部材７５ａは第一本体側係合部７１ａおよび第一摺動側係合部７３ａを、さらに第二リンク部材７５ｂは第二本体側係合部７１ｂおよび第二摺動側係合部７３ｂをそれぞれ両端に設けられている。さらに、本体側係合部７１ａ、７１ｂおよび摺動側係合部７３ｂ、７３ａは図２に示されるように本体側ガイド溝１５ａ、１５ｂおよび摺動側ガイド溝５１ａ、５１ｂの抜け方向と直交した側面から係合される。そのため係合部７１ａ，７１ｂ，７３ａ，７３ｂとガイド溝１５ａ，１５ｂ，５１ａ，５１ｂとは抜けを防止されると共に摺動可能にガイドされ枢軸７７を上下動することにより摺動部材５を昇降可能にする。
【００２５】
そのため摺動部材５の摺動説明図である図３（Ａ）、（Ｂ）に示すように摺動側係合部７３ａ、７３ｂの軸線Ｌ方向の移動距離Ｙはリンク作用により枢軸７７の移動距離Ｘの約２倍に増幅できる。したがって摺動部材５の移動距離Ｙを一定にした場合枢軸７７を矢印Ａ方向に摺動する移動距離Ｘを小さくできる。
【００２６】
図１（Ａ）に示される摺動釦３は釦取り付け部３１に対し筒体１４の正面側１１外方より取り付けられるもので、釦取り付け部３１は容器本体１の内側からガイド孔１２に上下摺動可能に嵌合される。図３（Ａ）は釦取り付け部３１がガイド孔１２の下端に摺動された場合の摺動部材５、リンク機構７の位置関係を示す。
【００２７】
図３（Ａ）においてリンク機構７を構成するリンク部材７５ａ、７５ｂは枢軸７７を中心にそれぞれ反時計回り、時計回りに回動し折り畳まれ、枢軸７７がガイド孔１２の最下端に下降されている。さらに、リンク部材７５ａ、７５ｂの下側端部に形成される本体側係合部７１ａ、７１ｂは底部１３に形成された本体側ガイド溝１５ａ、１５ｂにそれぞれ係合されている。本体側係合部７１ａ、７１ｂは釦取り付け部３１の摺動に伴う枢軸７７の上昇でガイド溝１５ａ、１５ｂ内を軸線Ｌから離間する方向に摺動されている。
【００２８】
図３（Ｂ）は釦取り付け部３１が摺動により図１（Ｂ）のようにガイド孔１２の上端に向け図３（Ａ）に対し距離Ｘを移動された状態を示す。図３（Ｂ）ではリンク機構７が伸張し摺動部材５が距離Ｙを上昇され容器本体１の上方開口部１７から化粧用刷毛１００（図示せず）は突出可能にされる。
【００２９】
さらに図２、図３に示されるように枢軸７７は釦取り付け部３１の中心との間を所定間隔離間する釦取り付け部材７９が設けられ、釦取り付け部３１の中心は釦取り付け部材７９の長さを選定することにより枢軸７７より上方にずらした容器本体１の中央近傍の任意位置に配置可能にされる。また釦取り付け部材７９にはバネ弾性を持たせ、釦取り付け部３１と容器本体１内面との間に摩擦力を持たせたり、凹凸を形成して歯合させたりすることにより摺動部材５に挿入された化粧用刷毛１００の不用意な突出を抑制することができる。
【００３０】
尚、本発明化粧品繰上容器を組み立てる場合、化粧用刷毛１００が未装着のまま摺動部材５、リンク機構７、底部１３を図３（Ｂ）のように組み、筒体１４内に装着し、底部１３を下方開口部１９側に装着する。その際、扁平な容器本体１は摺動部材５、リンク機構７、底部１３の回動をなくし、向きを限定できることから組み立てやすくできる。また、化粧用刷毛１００は筒体１４に摺動部材５を装着した後、上方開口部１７より摺動部材５に容易に装着できる。さらに、部品点数も特許文献１、２、３等の従来例と比較して少ないうえ各部品形状も単純な形状に近く安価に加工できる。
【００３１】
本体側係合部７１ａ、７１ｂの本体側ガイド溝１５ａ、１５ｂ内での摺動はリンク部材７５ａ、７５ｂと本体側ガイド溝１５ａ、１５ｂとがなす角度Ｑに応じて摩擦力が大きく変化する。特に図３（Ｂ）の状態から図３（Ａ）の状態に移行する際、角度Ｑが９０度に近い場合の摩擦力は理論上無限大に近づく一方リンク機構７による摺動部材５の伸張縮退も最大となる。こうした摩擦力の極大値を僅か避けるため本体側ガイド溝１５ａ、１５ｂは互いに枢軸７７の方向を頂点とするハ字状になるよう形成することにより滑らかな操作が可能になる。尚、摺動側ガイド溝５１ａ、５１ｂと摺動側係合部７３ａ、７３ｂとの関係について、図示していないが摺動側ガイド溝５１ａ、５１ｂを枢軸７７の方向を頂点とする逆ハ字状になるよう形成することも同様に滑らかな操作を可能にする。
【００３２】
本発明化粧品繰上容器の説明において化粧品を化粧用刷毛１００で説明してきたが棒状化粧料も含まれることは当然である。また本発明実施例では一対の本体側ガイド溝１５ａ、１５ｂが軸線Ｌに対し互いに枢軸方向を頂点とするハ字状に配設して説明してきた。しかし、リンク部材７５ａ、７５ｂと本体側ガイド溝１５ａ、１５ｂとがなす角度Ｑの最小値が９０度より大きい場合には軸線Ｌに対し直交させることも良い。また容器本体１の形状についても有底の円筒、正四角筒等を排除するものではない。
【００３３】
また、上記本発明実施例では本体側ガイド溝１５ａ、１５ｂおよび摺動側ガイド溝５１a、５１ｂがそれぞれ容器本体１の底部１３、摺動部材５の側面で同じ向きに形成された構成で説明してきた。しかし、本体側ガイド溝１５ａ、１５ｂおよび摺動側ガイド溝５１a、５１ｂがそれぞれ容器本体１の底部１３、摺動部材５の相反する側面である正面側と後面側に形成されることも良いものである。
【００３４】
以上説明のとおり、本発明粉状化粧料容器にあっては発明の効果の欄に記載する効果を有する。
【符号の説明】
【００３５】
１・・・・容器本体
３・・・・摺動釦
５・・・・摺動部材
７・・・・リンク機構
１１・・・正面側
１２・・・ガイド孔
１３・・・底部
１４・・・筒体
１５ａ・・第一本体側ガイド溝
１５ｂ・・第二本体側ガイド溝
１７・・・上方開口部
１９・・・下方開口部
３１・・・釦取り付け部
５１ａ・・第一摺動側ガイド溝
５１ｂ・・第二摺動側ガイド溝
７１ａ・・第一本体側係合部
７１ｂ・・第二本体側係合部
７３ａ・・第一摺動側係合部
７３ｂ・・第二摺動側係合部
７５ａ・・第一リンク部材
７５ｂ・・第二リンク部材
７７・・・枢軸
７９・・・釦取り付け部材
１００・・化粧用刷毛